(57)【要約】本開示の１つまたは複数の態様は、同一無線技術または異なる無線技術に関わらず、共有無線周波数（ＲＦ）フロントエンドアーキテクチャを利用して２以上のキャリア周波数でのトランスミッションを受信可能なワイヤレス受信機で動作できる改善された受信機自動利得制御（ＲｘＡＧＣ）アルゴリズムを提供する。ＲｘＡＧＣ）アルゴリズムは受信チェイン内で増幅器の利得を制御するために利用される。他の態様、実施形態、特徴もまた説明され請求される。【選択図】図４
2016541166.tif 000002
【特許請求の範囲】
【請求項１】
ワイヤレス通信のための受信機であって、
複数の信号を受信し受信された前記信号を含む広帯域信号にアナログ利得を適用するように構成される広帯域チェインと、
前記広帯域信号のうちの複数の狭帯域信号をそれぞれ受信するように構成される複数の狭帯域チェインと、ここにおいて前記狭帯域チェインの各々は前記狭帯域信号のうちの対応する１つにデジタル利得を適用するように構成される、
広帯域エネルギー推定値と複数の狭帯域エネルギー推定値とに従って動的に前記アナログ利得および前記デジタル利得を調整するように構成される自動利得制御器（ＡＧＣ）と
を備え、前記広帯域エネルギー推定値は受信された前記信号のエネルギーに対応し、前記複数の狭帯域エネルギー推定値は前記狭帯域信号のエネルギーに対応する、受信機。
【請求項２】
前記広帯域チェインは少なくとも１つの低雑音増幅器またはアナログデジタル変換器を備え、
前記低雑音増幅器は受信された前記信号に前記アナログ利得を適用するように構成され、前記アナログデジタル変換器は受信された前記信号をデジタル領域信号に変換するように構成される、請求項１に記載の受信機。
【請求項３】
前記デジタル領域信号を該当する通信キャリアに対応する前記複数の狭帯域信号に分けるための複数のローテータをさらに備える、請求項２に記載の受信機。
【請求項４】
前記ＡＧＣは、前記広帯域エネルギー推定値が飽和しきい値未満になるように前記アナログ利得を調整するようにさらに構成される、請求項１に記載の受信機。
【請求項５】
前記ＡＧＣは、前記狭帯域エネルギー推定値の最小値がフロアよりも大きくなるように前記狭帯域エネルギー推定値に従って前記アナログ利得を修正するようにさらに構成される、請求項１に記載の受信機。
【請求項６】
前記複数の狭帯域チェインは、前記デジタル利得を該当する前記狭帯域信号に適用するための複数の狭帯域デジタル増幅器を備える、請求項１に記載の受信機。
【請求項７】
前記ＡＧＣは、
前記狭帯域エネルギー推定値の間の第１の差、および前記広帯域エネルギー推定値と前記狭帯域エネルギー推定値の最小値との間の第２の差を判定するようにさらに構成され、
前記第１の差がインバランスしきい値より大きい場合に、前記広帯域チェインおよび前記複数の狭帯域チェインが一度に１キャリアずつ前記複数の狭帯域信号を処理するように構成され、
前記第２の差が帯域内ジャマーしきい値より大きい場合に、前記広帯域チェインおよび前記複数の狭帯域チェインが一度に１キャリアずつ前記複数の狭帯域信号を処理するように構成される、請求項１に記載の受信機。
【請求項８】
受信機で動作可能な信号受信の方法であって、
広帯域チェインで複数の信号を受信し受信された前記信号を含む広帯域信号にアナログ利得を適用することと、
前記広帯域信号のうちの複数の狭帯域信号を複数の狭帯域チェインでそれぞれ受信することと、
前記狭帯域信号の各々に該当するデジタル利得を適用することと、
広帯域エネルギー推定値と複数の狭帯域エネルギー推定値とに従って動的に前記アナログ利得および前記デジタル利得を調整するために自動利得制御（ＡＧＣ）アルゴリズムを行うことと
を備え、前記広帯域エネルギー推定値は受信された前記信号のエネルギーに対応し、前記複数の狭帯域エネルギー推定値は前記狭帯域信号のエネルギーに対応する、方法。
【請求項９】
前記広帯域チェインの低雑音増幅器を利用して前記アナログ利得を受信された前記信号に適用することと、
受信された前記信号を、前記アナログデジタル変換器を利用してデジタル領域信号に変換することと、
のうちの少なくとも１つをさらに備える、請求項８に記載の方法。
【請求項１０】
前記デジタル領域信号を、該当する通信キャリアに対応する前記複数の狭帯域信号に分けることをさらに備える、請求項９に記載の方法。
【請求項１１】
前記ＡＧＣアルゴリズムを行うことは、前記広帯域エネルギー推定値が飽和しきい値未満になるように前記アナログ利得を調整することを備える、請求項８に記載の方法。
【請求項１２】
前記ＡＧＣアルゴリズムを行うことは、  前記狭帯域エネルギー推定値の最小値がフロアよりも大きくなるように前記複数の狭帯域エネルギー推定値に従って前記アナログ利得を修正することを備える、請求項８に記載の方法。
【請求項１３】
狭帯域チェインの複数の狭帯域デジタル増幅器を利用して前記デジタル利得を該当する前記狭帯域信号に適用することをさらに備える、請求項８に記載の方法。
【請求項１４】
前記ＡＧＣアルゴリズムを行うことは、
前記狭帯域エネルギー推定値の間の第１の差、および前記広帯域エネルギー推定値と前記狭帯域エネルギー推定値の最小値との間の第２の差を判定することと、
前記第１の差がインバランスしきい値より大きい場合に、一度に１キャリアずつ前記複数の狭帯域信号を処理することと、
前記第２の差が帯域内ジャマーしきい値より大きい場合に、一度に１キャリアずつ前記複数の狭帯域信号を処理することと
を備える、請求項８に記載の方法。
【請求項１５】
ワイヤレス通信信号のための受信機であって、
複数の信号を受信し受信された前記信号を含む広帯域信号にアナログ利得を適用するための広帯域手段と、
前記広帯域信号のうちの複数の狭帯域信号をそれぞれ受信するように構成される複数の狭帯域手段と、ここにおいて前記狭帯域手段の各々は前記狭帯域信号のうちの対応する１つにデジタル利得を適用するように構成される、
広帯域エネルギー推定値と複数の狭帯域エネルギー推定値とに従って動的に前記アナログ利得および前記デジタル利得を調整するための自動利得制御（ＡＧＣ）手段と
を備え、前記広帯域エネルギー推定値は受信された前記信号のエネルギーに対応し、前記複数の狭帯域エネルギー推定値は前記狭帯域信号のエネルギーに対応する、受信機。
【請求項１６】
前記広帯域手段は少なくとも１つの低雑音増幅器またはアナログデジタル変換器を備え、
前記低雑音増幅器は受信された前記信号に前記アナログ利得を適用するように構成され、前記アナログデジタル変換器は受信された前記信号をデジタル領域信号に変換するように構成される、請求項１５に記載の受信機。
【請求項１７】
前記デジタル領域信号を該当する通信キャリアに対応する前記複数の狭帯域信号に分けるための複数のローテート手段をさらに備える、請求項１６に記載の受信機。
【請求項１８】
前記ＡＧＣ手段は、
前記広帯域エネルギー推定値が飽和しきい値未満になるように前記アナログ利得を調整するための手段を備える、請求項１５に記載の受信機。
【請求項１９】
前記ＡＧＣ手段は、
前記狭帯域エネルギー推定値の最小値がフロアよりも大きくなるように前記狭帯域エネルギー推定値に従って前記アナログ利得を修正するための手段を備える、請求項１５に記載の受信機。
【請求項２０】
前記複数の狭帯域手段は、前記デジタル利得を該当する前記狭帯域信号に適用するための複数の狭帯域デジタル増幅器を備える、請求項１５に記載の受信機。
【請求項２１】
前記ＡＧＣ手段は、
前記狭帯域エネルギー推定値の間の第１の差、および前記広帯域エネルギー推定値と前記狭帯域エネルギー推定値の最小値との間の第２の差を判定するための手段と、
前記第１の差がインバランスしきい値より大きい場合に、前記広帯域手段および前記複数の狭帯域手段が一度に１キャリアずつ前記複数の狭帯域信号を処理するように構成され、
前記第２の差が帯域内ジャマーしきい値より大きい場合に、前記広帯域手段および前記複数の狭帯域手段が一度に１キャリアずつ前記複数の狭帯域信号を処理するように構成される、
請求項１５に記載の受信機。
【請求項２２】
ワイヤレス通信のための装置であって、
少なくとも１つのプロセッサと、
前記少なくとも１つのプロセッサに結合されるメモリと、
前記少なくとも１つのプロセッサに結合されるトランシーバと
を備え、
前記トランシーバは、
複数の信号を受信し受信された前記信号を含む広帯域信号にアナログ利得を適用するように構成される広帯域チェインと、
前記広帯域信号のうちの複数の狭帯域信号をそれぞれ受信するように構成される複数の狭帯域チェインと、ここにおいて前記狭帯域チェインの各々は前記狭帯域信号のうちの対応する１つにデジタル利得を適用するように構成される、
広帯域エネルギー推定値と複数の狭帯域エネルギー推定値とに従って動的に前記アナログ利得および前記デジタル利得を調整するように構成される自動利得制御器（ＡＧＣ）と
を備え、前記広帯域エネルギー推定値は受信された前記信号のエネルギーに対応し、前記複数の狭帯域エネルギー推定値は前記狭帯域信号のエネルギーに対応する、装置。
【請求項２３】
前記広帯域チェインは少なくとも１つの低雑音増幅器またはアナログデジタル変換器を備え、
前記低雑音増幅器は受信された前記信号に前記アナログ利得を適用するように構成され、前記アナログデジタル変換器は受信された前記信号をデジタル領域信号に変換するように構成される、請求項２２に記載の装置。
【請求項２４】
前記トランシーバは、前記デジタル領域信号を該当する通信キャリアに対応する前記複数の狭帯域信号に分けるための複数のローテータをさらに備える、請求項２３に記載の装置。
【請求項２５】
前記ＡＧＣは、前記広帯域エネルギー推定値が飽和しきい値未満になるように前記アナログ利得を調整するようにさらに構成される、請求項２２に記載の装置。
【請求項２６】
前記ＡＧＣは、前記狭帯域エネルギー推定値の最小値がフロアよりも大きくなるように前記狭帯域エネルギー推定値に従って前記アナログ利得を修正するようにさらに構成される、請求項２２に記載の装置。
【請求項２７】
前記複数の狭帯域チェインは、前記デジタル利得を該当する前記狭帯域信号に適用するための複数の狭帯域デジタル増幅器を備える、請求項２２に記載の装置。
【請求項２８】
前記ＡＧＣは、
前記狭帯域エネルギー推定値の間の第１の差、および前記広帯域エネルギー推定値と前記狭帯域エネルギー推定値の最小値との間の第２の差を判定するようにさらに構成され、
前記第１の差がインバランスしきい値より大きい場合に、前記広帯域チェインおよび前記複数の狭帯域チェインが一度に１キャリアずつ前記複数の狭帯域信号を処理するように構成され、
前記第２の差が帯域内ジャマーしきい値より大きい場合に、前記広帯域チェインおよび前記複数の狭帯域チェインが一度に１キャリアずつ前記複数の狭帯域信号を処理するように構成される、請求項２２に記載の装置。
【請求項２９】
コンピュータプログラム製品であって、
広帯域チェインで複数の信号を受信し受信された前記信号を含む広帯域信号にアナログ利得を適用することと、
前記広帯域信号のうちの複数の狭帯域信号を複数の狭帯域チェインでそれぞれ受信することと、
前記狭帯域チェインの各々を使用して、前記狭帯域信号の対応する１つにデジタル利得を適用することと、
広帯域エネルギー推定値と複数の狭帯域エネルギー推定値とに従って動的に前記アナログ利得および前記デジタル利得を調整するために自動利得制御（ＡＧＣ）アルゴリズムを行うことと、ここにおいて前記広帯域エネルギー推定値は受信された前記信号のエネルギーに対応し、前記複数の狭帯域エネルギー推定値は前記狭帯域信号のエネルギーに対応する、
を受信機にさせるためのコードを備えるコンピュータ可読記憶媒体を備える、コンピュータプログラム製品。
【発明の詳細な説明】
【関連出願の相互参照】
【０００１】
[0001]  本出願は、２０１３年１１月５日付で米国特許商標庁に出願された米国非仮特許出願番号第１４／０７２，６８０号の利益および優先権を主張するもので、その全内容が本明細書に参照によって組み込まれる。
【技術分野】
【０００２】
[0002]  本開示の態様は一般にワイヤレス通信システムに関し、より詳細には単一の広帯域受信機チェインにおいて異なり得る複数の無線インターフェース技術(possibly different air interface technologies)で複数のキャリア(multiple carriers)をサポートする自動利得制御を備える広帯域受信機に関する。
【背景技術】
【０００３】
[0003]  現代のモバイルデバイスは、ｃｄｍａ２０００  １ｘ  および／またはＥＶ−ＤＯ(両方とも標準化団体第３世代パートナーシッププロジェクト２（３ＧＰＰ（登録商標）２）によって定義される)、ＵＭＴＳおよび／またはＬＴＥ（登録商標）（両方とも標準化団体第３世代パートナーシッププロジェクト（３ＧＰＰ）によって定義される)、および／またはその他のような複数の無線インターフェース技術をサポートできるモデムを有する。さらに多くの現代のモバイルデバイスは、同一無線技術または異なる無線技術に関わらず、２以上のキャリア周波数でのトランスミッションを受信するように構成される。時には、同時に（例えば同時の音声およびデータを可能にするために）２つの異なる技術（またはキャリア周波数）からの信号を受信することが望ましいことがある。典型的には、１つの受信チェインが各技術／キャリアのために使用される。しかしながら、これは単一の受信チェインが複数のこうしたキャリアを受信可能にされたなら低減できるはずの経費を提示する。加えて、受信チェインの数における低減は電力消費を低減しモバイルデバイスでのバッテリ寿命を延ばせるはずである。
【発明の概要】
【０００４】
[0004]  以下は、そのような態様の基本的な理解を提供するために、本開示の１つまたは複数の態様の簡略化された概要を提示する。この概要は、本開示の企図されるすべての特徴の広範な概略ではなく、本開示のすべての態様の重要な要素または決定的な要素を特定することも、本開示の態様のいずれかまたはすべての態様の範囲を線引きすることも意図されていない。その唯一の目的は、後に提示される、より詳細な説明への前置きとして、簡略化された形態で本開示の１つまたは複数の態様のいくつかの概念を提示することである。
【０００５】
[0005]  一態様では、本開示がワイヤレス通信のための受信機を提供する。受信機は、複数の信号を受信し受信された信号を含む広帯域信号にアナログ利得を適用するように構成される広帯域チェインを含む。受信機は、さらに広帯域信号のうちの複数の狭帯域信号をそれぞれ受信するように構成される複数の狭帯域チェインを含み、狭帯域チェインの各々は狭帯域信号のうちの対応する１つにデジタル利得を適用するように構成される。  受信機は、さらに広帯域エネルギー推定値と複数の狭帯域エネルギー推定値とに従って動的にアナログ利得およびデジタル利得を調整するように構成される自動利得制御器（ＡＧＣ）を含む。広帯域エネルギー推定値は受信された信号のエネルギーに対応し、複数の狭帯域エネルギー推定値は狭帯域信号のエネルギーに対応する。
【０００６】
[0006]  本開示の別の態様は受信機で動作可能な信号受信の方法を提供する。  受信機は、広帯域チェインで複数の信号を受信し受信された信号を含む広帯域信号にアナログ利得を適用する。受信機は、さらに広帯域信号のうちの複数の狭帯域信号を複数の狭帯域チェインでそれぞれ受信する。受信機は、さらに狭帯域信号の各々に該当するデジタル利得を適用する。  受信機は、さらに広帯域エネルギー推定値と複数の狭帯域エネルギー推定値とに従って動的にアナログ利得およびデジタル利得を調整するために自動利得制御（ＡＧＣ）アルゴリズムを行う。広帯域エネルギー推定値は受信された信号のエネルギーに対応し、複数の狭帯域エネルギー推定値は狭帯域信号のエネルギーに対応する。
【０００７】
[0007]  本開示の別の態様は、ワイヤレス通信信号のための受信機を提供する。  受信機は、複数の信号を受信し受信された信号を含む広帯域信号にアナログ利得を適用するための広帯域手段を含む。受信機は、さらに広帯域信号のうちの複数の狭帯域信号をそれぞれ受信するように構成される複数の狭帯域手段を含み、狭帯域手段の各々は狭帯域信号のうちの対応する１つにデジタル利得を適用するように構成される。受信機は、さらに広帯域エネルギー推定値と複数の狭帯域エネルギー推定値とに従って動的にアナログ利得およびデジタル利得を調整するための自動利得制御（ＡＧＣ）手段を含む。広帯域エネルギー推定値は受信された信号のエネルギーに対応し、複数の狭帯域エネルギー推定値は狭帯域信号のエネルギーに対応する。
【０００８】
[0008]  本開示の別の態様は、少なくとも１つのプロセッサと、少なくとも１つのプロセッサに結合されるメモリと、少なくとも１つのプロセッサに結合されるトランシーバとを備える、ワイヤレス通信のための装置を提供する。トランシーバは、複数の信号を受信し受信された信号を含む広帯域信号にアナログ利得を適用するように構成される広帯域チェインを含む。トランシーバは、さらに広帯域信号のうちの複数の狭帯域信号をそれぞれ受信するように構成される複数の狭帯域チェインを含み、狭帯域チェインの各々は狭帯域信号のうちの対応する１つにデジタル利得を適用するように構成される。トランシーバは、さらに  広帯域エネルギー推定値と複数の狭帯域エネルギー推定値とに従って動的にアナログ利得およびデジタル利得を調整するように構成される自動利得制御器（ＡＧＣ）を含む。広帯域エネルギー推定値は受信された信号のエネルギーに対応し、複数の狭帯域エネルギー推定値は狭帯域信号のエネルギーに対応する。
【０００９】
[0009]  本開示の別の態様は、コンピュータ可読記憶媒体を備えるコンピュータプログラム製品を提供する。コンピュータ可読記憶媒体は、様々な機能を受信機にさせるためのコードを含む。コードは、広帯域チェインで複数の信号を受信し受信された信号を含む広帯域信号にアナログ利得を適用することを受信機にさせる。コードは、さらに広帯域信号のうちの複数の狭帯域信号を複数の狭帯域チェインでそれぞれ受信することを受信機にさせる。コードは、さらに狭帯域チェインの各々を使用して、狭帯域信号の対応する１つにデジタル利得を適用することを受信機にさせる。コードは、さらに広帯域エネルギー推定値と複数の狭帯域エネルギー推定値とに従って動的にアナログ利得およびデジタル利得を調整するために自動利得制御（ＡＧＣ）アルゴリズムを行うことを受信機にさせる。広帯域エネルギー推定値は受信された信号のエネルギーに対応し、複数の狭帯域エネルギー推定値は狭帯域信号のエネルギーに対応する。
【００１０】
[0010]  本発明のこれらの態様および他の態様は、後に続く詳細の説明を検討するとより十分に理解されることになる。本発明の他の態様、特徴、および実施形態は、添付図面とともに、本発明の具体的な、例示的な実施形態の以下の説明を検討すれば、当業者には明らかになるであろう。本発明の特徴は、以下である特定の実施形態および図面に関連して説明され得るが、本発明の全ての実施形態は、本明細書で説明される有益な特徴の１つ以上を含むことができる。言い換えると、１つまたは複数の実施形態は、ある特定の有利な特徴を有するものとして説明され得るが、そのような特徴の１つまたは複数は、また、本明細書に説明される発明の様々な実施形態に従って使用され得る。同様に、例となる実施形態は、デバイス、システムまたは方法の実施形態として以下で説明され得るが、そのような例となる実施形態は、様々なデバイス、システム、及び方法で実現されることができることが、理解されるべきである。
【図面の簡単な説明】
【００１１】
【図１】処理システムを採用する装置のためのハードウェア実現の例を例示するブロック図である。
【図２】単一帯域の複数キャリア動作のために構成される受信機のための単一フロントエンドを例示する概念的なブロック図である。
【図３】広帯域スペクトルにおけるいくつかのキャリアを例示する概念的なブロック図である。
【図４】本開示の一態様に従い受信機自動利得制御（ＲｘＡＧＣ）アルゴリズムを行うように構成される受信機を例示する概念的なブロック図である。
【図５】いくつかの実施形態に従ってＲｘＡＧＣアルゴリズムを例示するフローチャートである。
【図６】いくつかの実施形態に従ってＲｘＡＧＣアルゴリズムを例示するフローチャートである。
【図７】いくつかの実施形態に従ってマルチキャリア単一帯域モードを抜けるように受信機を構成するためのアルゴリズムを例示するフローチャートである。
【図８】いくつかの実施形態に従って受信機で動作可能な自動利得制御の方法を例示するフローチャートである。
【図９】本開示の１つまたは複数の態様が適用を見出し得るネットワーク環境の例を例示するブロック図である。
【発明の詳細な説明】
【００１２】
[0019］  添付図面に関連して以下に記載される詳細な説明は、様々な構成の説明として意図され、ここに説明される概念が実現され得る唯一の構成を表すようには意図されない。詳細な説明は、様々な概念の完全な理解を提供する目的のために特定の詳細を含む。しかしながら、これらの概念がこれらの具体的な詳細なしに実践され得ることは当業者には明らかになるであろう。いくつかの例において、そのような概念をあいまいにすることを避けるために、よく知られた構造およびコンポーネントがブロック図形式で示される。
【００１３】
[0020]  本開示の１つまたは複数の態様は、改善されたＲｘＡＧＣアルゴリズムに関する。ここで、ＲｘＡＧＣは、様々なワイヤレス通信ネットワークにおいて動作可能なモバイルデバイスの受信機（Ｒｘ）での自動利得制御（ＡＧＣ）判定を指す。ＲｘＡＧＣアルゴリズムは、モバイルデバイスの受信機チェイン内の複数の増幅器の利得を制御するために利用される。ここで述べられるＲｘＡＧＣアルゴリズムは共有無線周波数（ＲＦ）フロントエンドアーキテクチャを利用する。
【００１４】
[0021]  図１は、処理システム１１４を採用する装置１００のためのハードウェア実現の例を例示する概念的な図である。本開示の様々な態様に従って、１つの要素(element)、要素の任意の部分、または複数の要素の任意の組み合わせが、１つまたは複数のプロセッサ１０４を含む処理システム１１４で実現され得る。例えば、装置１００は、図３および図４の全体または一部において例示されるようにユーザ機器（ＵＥ）であり得る。プロセッサ１０４の例は、マイクロプロセッサ、マイクロコントローラ、デジタルシグナルプロセッサ（ＤＳＰ）、フィールドプログラマブルゲートアレイ（ＦＰＧＡ）、プログラマブル論理デバイス（ＰＬＤ）、状態マシン、ゲートロジック（gated logic）、個別ハードウェア回路、および本開示の全体にわたって説明される様々な機能を実行するように構成された他の適切なハードウェアを含む。すなわち、プロセッサ１０４は、装置１００で利用されるように、以下に述べられ図５乃至図８に例示される処理の１つまたは複数を実現するために使用され得る。
【００１５】
[0022]  この例において、処理システム１１４は、バス１０２によって一般に表されるバスアーキテクチャで実現され得る。バス１０２は、処理システム１１４の特定のアプリケーションと全体的な設計制約に依存して、任意の数の相互接続バスおよびブリッジを含み得る。バス１０２2は、１つまたは複数のプロセッサ（プロセッサ１０４によって一般に表される）、メモリ１０５、およびコンピュータ可読媒体（コンピュータ可読媒体１０６によって一般に表される）を含む様々な回路を共にリンクさせる。バス１０２は、また、当該技術分野で周知である、タイミングソース、周辺機器、電圧レギュレータ、および電力管理回路のような他の様々な回路をリンクさせることができ、このため、これ以上は説明されないであろう。バスインタフェース１０８は、バス１０２とトランシーバ１１０との間のインターフェースを提供する。トランシーバ１１０は、伝送媒体上で他の様々な装置と通信するための手段を提供する。トランシーバ１１０は送信機１１０Ａおよび受信機１１０Ｂを含み得る。送信機１１０Ａおよび受信機１１０Ｂは別々のコンポーネントであったり、１つのコンポーネントとして組み合わされたりし得る。本開示の一態様では、送信機１１０がモデムとして構成される。装置の性質に依存し、ユーザインターフェース１１２（例えば、キーパッド、ディスプレイ、スピーカ、マイクロフォン、ジョイスティック）も提供され得る。
【００１６】
[0023]  プロセッサ１０４は、バス１０２の管理や、コンピュータ可読媒体１０６に記憶されたソフトウェアの実行を含む一般的な処理を担当する。このソフトウェアは、プロセッサ１０４によって実行されると、任意の特定の装置のために後に説明される様々な機能を処理システム１１４に行わせる。コンピュータ可読媒体１０６はまた、ソフトウェアを実行する際にプロセッサ１０４によって操作されるデータを記憶するためにも使用され得る。
【００１７】
[0024]  処理システム内の１つまたは複数のプロセッサ１０４はソフトウェアを実行し得る。ソフトウェアは、ソフトウェア、ファームウェア、ミドルウェア、マイクロコード、ハードウェア記述言語で、または別の方法で称されるか否かに関わらず、命令、命令のセット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行ファイル、実行スレッド、プロシージャ、関数等を意味すると広く解釈されるものとする。ソフトウェアは、コンピュータ可読媒体１０６上に存在し得る。コンピュータ可読媒体１０６は、非一時的なコンピュータ可読媒体であり得る。非一時的なコンピュータ可読媒体は、例として、磁気記憶デバイス（例えば、ハードディスク、フロッピー（登録商標）ディスク、磁気ストリップ）、光学ディスク（例えば、コンパクトディスク（ＣＤ）、あるいはデジタル多用途ディスク（ＤＶＤ））、スマートカード、フラッシュメモリデバイス（例えば、カード、スティック、あるいはキードライブ）、ランダムアクセスメモリ（ＲＡＭ）、読取専用メモリ（ＲＯＭ）、プログラマブルＲＯＭ（ＰＲＯＭ）、消去可能なＰＲＯＭ（ＥＰＲＯＭ）、電気的に消去可能なＰＲＯＭ（ＥＥＰＲＯＭ（登録商標））、レジスタ、リムーバブルディスク、および、コンピュータによってアクセスおよび読み取られ得るソフトウェアおよび／または命令を記憶するための任意の他の適切な媒体を含む。コンピュータ可読媒体１０６は、処理システム１１４内に、処理システム１１４の外部に、または処理システム１１４を含む複数のエンティティに分散して、存在し得る。コンピュータ可読媒体１０６は、コンピュータプログラム製品において具体化され得る。例として、コンピュータプログラム製品は、パッケージング材料内のコンピュータ可読媒体を含み得る。当業者は、システム全体に課せられる全体的な設計制約および特定のアプリケーションに依存して、本開示全体を通して提示される、説明された機能性をいかに最良に実現すべきかを認識することになる。
【００１８】
[0025]  いくつかの通信ネットワーク配置では、異なる技術のキャリアがスペクトルにおいて非常に遠く離れておらず、共通の受信チェイン（アンテナ、フィルタ、ＬＮＡ等）によってカバーされることができる。これは、モバイルデバイスのコストを低減することに役立つ。例えば、こうした設計は、ＳＶＤＯ（ＥＶ−ＤＯを利用するデータセッションに対して同時の、１ｘを利用する音声通話を可能にする同時音声およびＥＶ−ＤＯ）のために使用されており、ここで受信チェインのフロントエンドが１ｘおよびＤＯ間で共有され、信号がさらなるフィルタリング、デジタル増幅、および他の処理のためにローテータで複数の異なる狭帯域に分けられる。
【００１９】
[0026]  図２は、単一帯域の複数キャリア動作（例えば、単一帯域ＳＶＤＯ）のために利用できる受信機２００のための単一フロントエンドを例示する概念的なブロック図である。図２に示されるように、異なる通信キャリアに対応するいくつかの信号が単一アンテナ２０２によって受信され得る。アンテナの後で、受信された信号はアナログ低雑音増幅器（ＬＮＡ）を通過する。表面弾性波（ＳＡＷ）フィルタ２０６によってフィルタされてダウンコンバータ２０８によってダウンコンバートされた後、アナログ信号はアナログローパスフィルタ（ＬＰＦ）によってフィルタされ、アナログデジタル変換器（Ａ／Ｄ）２１２によってデジタル領域信号に変換される。デジタル領域信号はさらにデジタルＬＰＦ２１４でフィルタされる。次に、いくつかのデジタル周波数ローテータ２１６（２１６−１乃至２１６−Ｎ）がキャリアをそれぞれの通信キャリア（例えば、１つの１ｘおよび１つのＥＶ−ＤＯ）にローテートするために利用される。各キャリアについて、フィルタ２１８（２１８−１乃至２１８−Ｎ）が不所望な信号を除去するために使用され得る。それぞれのデジタルサンプルは、この後さらなる処理２４０（例えば、復調、等化、デインターリーブ、ターボ復号等）のためにダウンサンプルされてメモリ２２０（２２０−１乃至２２０−Ｎ）に記憶され得る。
【００２０】
[0027]  本開示において論じられる技術の実施形態は、ワイヤレス信号を受信するための複数の受信チェインを含み得る。例えば、図２において、ローテータ２１６の前のアーキテクチャの部分は「広帯域」チェイン（ＬＮＡがすべての受信された信号を増幅するので）であると考えられ得る。そしてローテータ２１６の後の部分は「狭帯域」チェイン（別々の増幅／処理がキャリア毎に行われるので）であると考えられ得る。ここで、単一広帯域チェインが多くの技術（例えば、１ｘおよびＥＶ−ＤＯ）のための複数のキャリアをカバーする一方で、複数の狭帯域チェインが各キャリアの区別されたカバレッジを可能にし得る。これらキャリアの各々は対応する通信チャネルのために使用され得る。
【００２１】
[0028]  ここで、広帯域チェインは対象となり得る複数の狭帯域を超えるスペクトルをカバーし得ることから、その増幅および処理が意図されない信号を含み得る。例えば、図３は、広帯域スペクトルにおけるいくつかのキャリアを例示する概念的なブロック図である。ここで、意図されない信号は、対象の複数のキャリア３０２間における何か他のキャリアであり得る。概して、フィルタはこうした帯域内ジャマーを十分フィルタ除去できるほどシャープに設計されない。さらに、狭帯域チェインは狭帯域チェインにおけるフィルタによってフィルタ除去されることになるはずのこうした帯域内ジャマーを一般に検出できない。このため、広帯域チェイン増幅器（すなわち、ＬＮＡ２０４）が全体の受信された信号を増幅するとき、こうした帯域内ジャマーが増幅された信号を飽和させて、性能劣化やドロップ通話(dropped calls)をもたらし得る。
【００２２】
[0029]  さらに、各キャリアが送信される基地局はコロケートされないことがあるため、これらがモバイルデバイスから異なる距離にあり得る。このため、たとえ２つの基地局がそれらのそれぞれのキャリアを同じ電力で送信したとしても、モバイルデバイス（受信機２００）での受信電力がこれら２つの基地局からのそれらのそれぞれのキャリアについて著しく相違し得る。さらに、強い信号が比較的弱い信号の非常に近くで送信されていると、弱い信号が例えば残留側波帯（ＲＳＢ）のようなＲＦ効果で強い信号によってのみ込まれてしまう可能性がある。このため、単一受信チェインでこうした複数のキャリアを受信するとき、モバイルデバイスがこれらキャリアの１つまたは複数をドロップするような低下機能(reduced functionality)に対してフォールバックすることが必要であり得る。
【００２３】
[0030]  図４は、本開示のいくつかの態様に従いＲｘＡＧＣアルゴリズムを行うように構成される受信機４００を例示する簡易化されたブロック図である。この受信機アーキテクチャは受信機２００を使用して実現され得る。この例示では、簡易さのためにフィルタブロックが図４に示されない。ＲｘＡＧＣアルゴリズムは受信チェイン内の複数の増幅器の利得を制御するために利用される。アンテナの後で、ＬＮＡ４０２が受信された信号を制御可能量（アナログ利得）で増幅する。概して、ＬＮＡは、複数のステージで実現され、使用すべきステージの数が所望されるアナログ利得を達成することに適応できるようにされる。ＬＮＡの後で、データの処理および復調を容易にするために、受信された信号はベースバンドにダウンコンバートされ、アナログデジタル変換器（ＡＤＣ）４０４によってデジタル領域信号に変換され得る。この後、いくつか(Ｎ)の周波数ローテータ４０６（例えば、４０６＿1、４０６＿２、…４０６＿Ｎ）がデジタル領域信号をそれぞれのキャリアに対応するいくつかの狭帯域信号に変換する。ここで、ローテータ４０６の前の信号パスが広帯域チェインと呼ばれ、ローテータ４０６の後にある信号パスが狭帯域チェインと呼ばれる。広帯域チェインが信号を受信しアナログ利得をこれら信号に一括して適用する。狭帯域チェインの各々は、その狭帯域信号に利得を適用するために制御可能デジタル利得４０８（例えば、４０８＿１、４０８＿２、…４０８＿Ｎ）（本開示において狭帯域デジタル増幅器と呼ばれる）を含む。これら狭帯域チェインは同一または異なる無線接続技術の異なるキャリアのために使用され得る。例としてであって限定でなく、利得４０８＿１を含む１つの狭帯域チェインが１ｘ信号を扱うために使用でき、利得４０８＿Ｎを含む他の狭帯域チェインがＥＶ−ＤＯを扱うために使用できる。
【００２４】
[0031]  特定キャリアのための受信チェインにおける総利得はアナログＬＮＡ利得（広帯域利得）とデジタル利得（狭帯域利得）との積である。モバイルデバイスはセルラネットワーク内で動き回るので、無線信号強度やチャネル状態が大きく変化し得る。例えば、モバイルデバイスおよび基地局間の距離は信号強度に大きく影響を及ぼす。このため、受信機はこの変化する環境に適応する能力を持つ必要がある。本開示の様々な態様において、アナログＬＮＡステージ（例えば、ＬＮＡ４０２）での広帯域利得およびデジタル領域での狭帯域利得は、受信機における何れのステージでも飽和がわずかまたは無く、信号対雑音比（ＳＮＲ）ができるだけ高くなるように適切に分布される。
【００２５】
[0032]  ＲｘＡＧＣアルゴリズムは、アナログおよびデジタルコンポーネント（例えばＬＮＡ４０２およびデジタル利得４０８）間の利得分布を制御する。セルラネットワークの不均衡性(imbalanced nature)のために、モバイルデバイスで受信された異なる基地局からの信号の電力レベルは大きく変化する。従って、受信機での利得分布が、１つだけのＬＮＡ利得が全キャリア間の制御に対して存在するという意味で同期される必要がある。本開示の様々な態様において、ＲｘＡＧＣアルゴリズムは全受信キャリアのために単一の適切なＬＮＡ利得値を、並びに複数の狭帯域チェインのために複数の適切なデジタル利得を選択する。ここで、これら狭帯域チェインのための利得は独立に制御され得る。このようにして、信号パスにおける任意のポイントでの飽和が低減または回避され得る。加えて、ＲｘＡＧＣアルゴリズムは組み合わされた広帯域および狭帯域利得のより細かな制御を提供する。
【００２６】
[0033]  引き続き図４を参照すると、ＲｘＡＧＣアルゴリズムが広帯域エネルギー推定値（ＷＢＥＥ）はもとより、キャリア毎の狭帯域エネルギー推定値（ＮＢＥＥ）も入力パラメータとして取得する。ＷＢＥＥは広帯域エネルギー推定器４１０によって決定でき、各ＮＢＥＥはキャリア毎の狭帯域エネルギー推定器４１２（例えば、４１２＿１乃至４１２＿Ｎ）によって決定できる。従って、ＲｘＡＧＣアルゴリズムがＬＮＡ４０２のためのアナログ利得はもとより、デジタル利得４０８毎のデジタル利得も計算する。ＷＢＥＥは、アナログデジタル変換の後における、受信された広帯域信号のエネルギー（または、いくつかの例で、電力）の測定値に対応し得る。この測定値により、広帯域飽和が検出できる（すなわち、ＬＮＡでの利得が高すぎることから生じる何らかのクリッピングまたは飽和）。ＮＢＥＥは狭帯域フィルタリングの後における、狭帯域信号のエネルギー（または、いくつかの例で、電力）の測定値に対応し得る。様々な例において、ＮＢＥＥは該当するキャリアのためのデジタル利得４０８の入力または出力において決定できる。本開示の様々な態様において、ＷＢＥＥおよびＮＢＥＥは何らかの適切なハードウェア、ソフトウェア、またはこれら２つの組合せを利用し、サンプリングまたは測定回路および／または当業者にとって周知であろうアルゴリズムを利用して実現され得る。
【００２７】
[0034]  さらに、ＬＮＡ４０２は複数の利得ステージを含み得る。ここで、ＲｘＡＧＣアルゴリズムは、広帯域チェインおよび／または狭帯域チェインに適用するためのその利得の計算における要因として、ＬＮＡ利得ステージの特徴の知識、例えば、各利得ステージの利得、および各利得ステージの使用により生じる雑音形状を利用できる。ＬＮＡ４０２の厳密な利得値はデバイス依存であり、周波数依存であり、いくつかの例では、キャリブレーション処理において決定され得る。引き続いてさらに、ＲｘＡＧＣアルゴリズムはモバイルデバイスの設計段階からの他の知識を利用し得る。例えば、この知識は、Ｒｘチェインにおける全てのデジタルコンポーネントの利得、ＡＤＣのダイナミックレンジ、ＷＢＥＥおよびＮＢＥＥ測定値のダイナミックレンジ、等を含み得る。信号が高すぎたり低すぎたりすれば、ＷＢＥＥやＮＢＥＥが高いまたは低いエンドで飽和することがある。
【００２８】
[0035]  ＬＮＡ４０２を含む広帯域チェインは全ての狭帯域チェィンにわたって共有されることから、単一の決定がＬＮＡ４０２の利得のために為されることができ、広帯域チェインのためのＷＢＥＥ４１０による単一の測定が各測定インターバルで為されることができる。一般に、広帯域カバーレッジにおける異なる狭帯域チェインがＬＮＡ４０２を別々に制御することは望ましくない。さらに、異なる狭帯域チェインが広帯域エネルギーを測定することは、これら測定が互いに中断され得るので、望ましくない。このため、本開示の様々な態様では、共有ＲｘＡＧＣ制御器４１４が、ＬＮＡ４０２を含む広帯域チェインのために少なくとも利用される。ＲｘＡＧＣ制御器４１４（ここでは、自動利得制御器と呼ばれる）がここで述べられるＲｘＡＧＣアルゴリズムを推定ＷＢＥＥおよびＮＥＢＢに基づいて行うために使用され得る。ＲｘＡＧＣ制御器４１４は動作的に広帯域エネルギー推定器４１０および複数の狭帯域エネルギー推定器４１２に結合される。さらに、ＲｘＡＧＣ制御器４１４はＬＮＡ４０２を制御するための１つのＬＮＡ利得ステージ制御信号、およびデジタル利得４０８を制御するためのいくつかのデジタル利得制御信号を提供する。ここで、狭帯域チェインのためのデジタル利得４０８は、広帯域チェインについて共通の決定（例えば、ＬＮＡ４０２の利得）が為された後で別々に制御され得る。
【００２９】
[0036]  ＲｘＡＧＣアルゴリズムの動作は以下の２セットのルールで特徴付けられることができ、ひとつは広帯域チェインのためであり、もう１つは狭帯域チェインのためである。これらルールおよび図４における例示された受信機アーキテクチャを利用することによって、たとえ異なる技術であっても、並びに異なるキャリアが異なる非コロケート基地局から送信されたとしても、単一の受信チェインを有する受信機が２以上のキャリアを受信するために効率的に利用され得る。
【００３０】
[0037]  図５および図６は本開示の一態様に従ってＲｘＡＧＣアルゴリズム６００を例示するフローチャートである。例えばＲｘＡＧＣアルゴリズム６００は受信機４００で実現され得る。ＲｘＡＧＣアルゴリズム６００は、広帯域エネルギー推定値および複数の狭帯域エネルギー推定値に従って受信機４００のアナログ利得およびデジタル利得を動的に調整できる。受信機がアンテナおよびＬＮＡ４０２を介していくつかの信号を受信すると仮定する。（図４を参照）。ステップ５０２では、広帯域エネルギー推定値（ＷＢＥＥ）およびいくつかの狭帯域エネルギー推定値（ＮＢＥＥ）が測定される。例えば、ＷＢＥＥは広帯域エネルギー推定器４１０によって測定されることができ、ＮＢＥＥはいくつかの狭帯域エネルギー推定器４１２によってそれぞれ測定されることができる。ステップ５０４では、測定されたＷＢＥＥに基づいてＬＮＡ４０２の利得を調整すべきかどうか判定される。本開示の一態様において、測定されたＷＢＥＥはＷＢＥＥｄＢＶｒｍｓと（ｄＢＶｒｍｓ単位で）称される値に変換され、各測定されたＮＢＥＥはＲｘＡＧＣｄｂＶｒｍｓと（ｄＢＶｒｍｓ単位で）称される値に変換される。
【００３１】
[0038]  ＷＢＥＥｄＢＶｒｍｓが適切なレンジに無い場合には、ＬＮＡ利得がステップ５０６で調整され得る。本開示の一態様において、ＷＢＥＥｄＢＶｒｍｓが適切なレンジに無い場合に、ＬＮＡの利得が調整され得る。適切なレンジは実装および無線インターフェース依存である。高い方の限界(またはしきい値)に関し、これは混合信号入力およびアップフェーディングバジェット(up fading budget)のピーク対平均電力比(peak-to-average-power ratio)に依存し得る。一例において、高い方のしきい値は−１０ｄＢであり得る。低い方の限界（または、しきい値）については、いくつかの実装で、信号レベルが低すぎる場合に、ＷＢＥＥ読み取りが雑音によって制圧され得、入力信号レベルの低下に追従できないというフロアリング効果になり得る。しかしながら、フロアリング効果を有しないいくつかの他の実装では、適切なＷＢＥＥの低い方の限界（例えば、−４５ｄＢ）がＬＮＡ利得を制御するために使用され得る。
【００３２】
[0039]  図６は、本開示の一態様に従ってＷＢＥＥに基づいてＬＮＡ利得を調整するためのプロセス６００を例示するフローチャートである。プロセス６００はステップ５０６で行われる。ステップ６０２では、ＷＢＥＥが高い方のしきい値または飽和しきい値（例えば、ＷＢＰＥｄＢＶｒｍｓ＞−１０ｄＢ）である場合に、ＬＮＡの利得が減少される。例えばＲｘＡＧＣ制御器４１４は、ＬＮＡ４０２の利得を減少させるために適切なＬＮＡ利得ステージ制御信号を出力するように構成され得る。ステップ６０４では、ＷＢＥＥが低い方のしきい値またはフロア（例えばＷＢＰＥｄＢＶｒｍｓ＜−４５ｄＢ）未満である場合に、ＬＮＡ利得が増大される。例えばＲｘＡＧＣ制御器４１４がＬＮＡ４０２の利得を増大させるために適切なＬＮＡ利得ステージ制御信号を出力するように構成され得る。本開示の様々な態様では、ＬＮＡ４０２がいくつかのステージを有し得、ＬＮＡ利得がＬＮＡ利得ステージ制御信号に基づいてこれらステージ間の切替えによって調整されることができる。
【００３３】
[0040]  図５に戻ると、ステップ５０８で、測定されたＮＢＥＥの最小値が低い方のしきい値未満であると判定された場合に、ＲｘＡＧＣアルゴリズムがステップ５１０に続き、そうでなければこのアルゴリズムがステップ５１２に続く。本開示の一態様では、最小ＮＢＥＥが低い方のしきい値またはフロア（例えばＲｘＡＧＣｄＢＶｒｍｓ＜−８７ｄｂ）未満である場合に、アルゴリズム５００がステップ５１０に続く。ステップ５１０では、ＬＮＡ利得が増大した後にＷＢＥＥが依然として高い方のしきい値未満（例えば、ＷＢＰＥｄＢＶｒｍｓ＜−１０ｄＢ）になると判定された場合に、ＬＮＡ利得がステップ５１４で増大される。ステップ５１０の判定は、ＬＮＡ利得が１つまたは複数のステージによって増大される場合に導入されるはずの厳密なＬＮＡ利得変化が知られていることにより可能である。
【００３４】
[0041]  ステップ５１２では、任意のＮＢＥＥが高い方のしきい値より大きい場合に、このアルゴリズムがＬＮＡ利得を減少させるためにステップ５１８に続く。ＮＢＥＥの高い方のしきい値は、ＳＮＲおよび電力節約の考察に基づくアルゴリズムによって判定され得る。ＮＢＥＥが望ましく高い場合に、ＳＮＲが十分高く、より高いＮＢＥＥがさらなる利益を提供しないはずである（例えば、ＳＮＲがキャップされている、またはＳＮＲがピークデータレートを達成できるポイントに到達している）と仮定される。従って、ＬＮＡ利得はＬＮＡでの電力を節約するためにステップ５１８で減少されることができる。一般に、より低いＬＮＡ利得は少ない電流を使用してより低いＳＮＲを提供する。アルゴリズム５００は、所望のＷＢＥＥおよびＮＥＢＢを提供することになる特定ＬＮＡが決まるまで複数回の反復を行い得る。アルゴリズム５００は、狭帯域チェインのデジタル利得（例えば、デジタル利得４０８）のいずれかが調整されても繰り返され得る。
【００３５】
[0042]  図７は、本開示の一態様に従ってマルチキャリア単一帯域モード（ＳＢモード）を抜けるように受信機を構成するためのアルゴリズム７００を例示するフローチャートである。アルゴリズム７００は受信機４００で行われ得る。ＳＢモードでは、受信機４００が異なるキャリア（例えば、図３における対象のキャリア３０２）に対応するいくつかの信号を、広帯域チェインを介して受信し、受信された信号をデジタル領域でいくつかの狭帯域チェインによって処理するように構成される。ステップ７０２では、受信機４００がＷＢＥＥおよびこれら信号のＮＢＥＥを測定する。このステップは、図５におけるステップ５０２と同じであり得る。ステップ７０４では、異なるキャリアのＮＢＥＥ間の差が決定される。本開示の一態様では、任意の２つのＲｘＡＧＣｄＢＶｒｍｓ間の差がインバランスしきい値（例えば、１４ｄＢ）より大きい場合に、キャリア間のインバランスを指示し得、受信機がこのためステップ７０６でＳＢモードを出て、一度に１キャリアずつ狭帯域信号を処理し得る。ステップ７０８では、ＷＢＥＥおよび最小ＮＢＥＥ間の差が決定される。本開示の一態様では、ＷＢＰＥｄＢＶｒｍｓおよび最小ＲｘＡＧＣｄＢＶｒｍｓ間の差が適切な帯域内ジャマーしきい値よりも大きい場合に、強い帯域内ジャマー信号の存在を指示し得、受信機がこのためＳＢモードをステップ７０６で出て、一度に１キャリアずつ狭帯域信号を処理し得る。言い替えると、受信機は、ＳＢモードにないときに広帯域チェインと狭帯域チェインのうちの１つだけを利用し得る。
【００３６】
[0043]  図８は、本開示の一態様に従って受信機で動作可能な自動利得制御の方法８００を例示するフローチャートである。例えば、方法８００は受信機４００または任意の適切な受信機で行われる。ステップ８０２では、受信機が広帯域チェインで複数の信号を一括して受信し、受信された信号を含む広帯域信号にアナログ利得を適用する。ステップ８０４では、受信機が複数の狭帯域チェインで複数の狭帯域信号をそれぞれ受信する。これら狭帯域信号は広帯域信号から導出され得、例えば広帯域信号のうちの複数の狭帯域部分であり得る。ステップ８０６では、受信機がデジタル利得を狭帯域信号のうちの対応する１に適用する。ステップ８０８では、受信機が、広帯域エネルギー推定値  および複数の狭帯域エネルギー推定値に従ってアナログ利得およびデジタル利得を動的に調整するための自動利得制御（ＡＧＣ）アルゴリズムを行う。広帯域エネルギー推定値はデジタル領域において一括受信された信号のエネルギーに対応し、複数の狭帯域エネルギー推定値はそれぞれの狭帯域信号のエネルギーに対応する。例としてであって限定でなく、広帯域チェインはＬＮＡ４０２およびＡＤＣ４０４を含み得、狭帯域チェインはデジタル利得４０８を含み得る。本開示のいくつかの態様では、ＲＸＡＧＣ制御器４１４、広帯域エネルギー推定器４１０、および狭帯域エネルギー推定器４１２が方法８００のＡＧＣアルゴリズムを行うために利用され得る。
【００３７】
[0044］  図９は、本開示の１つまたは複数の態様がアプリケーションを見つけ出し得るネットワーク環境の例を例示するブロック図である。ワイヤレス通信システム９００は、一般に、（例えば、モバイル交換局／ビジタロケーションレジスタ（ＭＳＣ／ＶＬＲ）を介して）公衆交換電話網（ＰＳＴＮ）への、および／または（例えば、パケットデータ交換ノード（ＰＤＳＮ）を介して）ＩＰネットワークへのアクセスを提供する、コアネットワーク９０８、１つまたは複数の基地局コントローラ（ＢＳＣ）９０６、１つまたは複数のアクセス端末９０４、および１つまたは複数の基地局９０２を含む。アクセス端末９０４のいずれかは、図２および図４に示されるものと同様の受信機を含む装置１００で実現され得る。システム９００は、複数のキャリア（異なる周波数の波形信号）上の動作をサポートし得る。マルチ搬送波送信機（Multi-carrier transmitter）は、多重搬送波上で、同時に（simultaneously）または並行して（concurrently）、変調された信号を送信することができる。各変調された信号は、ＣＤＭＡ信号、ＴＤＭＡ信号、ＯＦＤＭＡ信号、単一搬送波周波数分割多重アクセス（ＳＣ−ＦＤＭＡ）信号等であり得る。各変調された信号は、異なる搬送波で送られ得、制御情報（例えば、パイロット信号）、オーバヘッド情報、データ等を運び得る。本開示の様々な態様では、 複数のキャリアが図２および図４に例示されるような１ｘおよびＥＶ−ＤＯキャリアを含み得る。
【００３８】
[0045］  基地局９０２は、基地局アンテナを介してアクセス端末９０４とワイヤレスで通信することができる。基地局９０２は、それぞれ、ワイヤレス通信システム９００への（１つまたは複数のアクセス端末の）ワイヤレス接続性を容易にするように適応される装置として一般的に実現され得る。基地局９０２はまた、当業者によって、アクセスポイント、基地トランシーバ局（ＢＴＳ）、無線基地局、無線トランシーバ、トランシーバ機能、ベーシックサービスセット（ＢＳＳ）、拡張サービスセット（ＥＳＳ）、ノードＢ、フェムトセル、ピコセル、および／または何らかの他の適切な用語でも呼ばれ得る。
【００３９】
[0046]  基地局９０２は、１つまたは複数のキャリアを介して基地局コントローラ９０６の制御の下でアクセス端末904と通信するように構成される。基地局９０２の各々は、それぞれの地理的エリアのための通信カバレッジを提供することができる。ここでの各基地局９０２のカバレッジエリア９１０は、セル９１０−ａ、９１０−ｂ、または９１０−ｃと特定される。基地局９０２のカバレッジエリア９１０は、複数のセクタ（図示されないが、カバレッジエリアのごく一部を占める）へ分割され得る。これらセクタに分割されたカバレッジエリア９１０において、カバレッジエリア９１０内の複数のセクタが、セルの一部内で１つまたは複数のアクセス端末９０４との通信に関与する各アンテナを有するアンテナのグループによって形成されることができる。
【００４０】
[0047］  １つまたは複数のアクセス端末９０４は、カバレッジエリア９１０の至る所に散在し得、それぞれの基地局９０２に関連する１つまたは複数のセクタとワイヤレスで通信し得る。アクセス端末９０４は、一般に、ワイヤレス信号を通じて１つまたは複数の他のデバイスと通信する１つまたは複数のデバイスを含み得る。そのようなアクセス端末９０４は、当業者によって、ユーザ端末 （ＵＥ）、移動局（ＭＳ）、加入者端末、モバイルユニット、加入者ユニット、ワイヤレスユニット、リモートユニット、モバイルデバイス、ワイヤレスデバイス、ワイヤレス通信デバイス、リモートデバイス、モバイル加入者端末、モバイル端末、ワイヤレス端末、リモート端末、ハンドセット、端末、ユーザエージェント、モバイルクライアント、クライアント、または何らかの他の適切な用語でも呼ばれ得る。アクセス端末９０４は、モバイル端末および／または少なくとも実質上固定端末を含み得る。アクセス端末１０４の例は、モバイルフォン、ポケットベル、ワイヤレスモデム、パーソナルデジタルアシスタント、パーソナルインフォメーションマネジャ（ＰＩＭｓ）、パーソナルメディアプレイヤ、パームトップコンピュータ、ラップトップコンピュータ、タブレットコンピュータ、テレビ、電化製品（appliance）、電子ブックリーダ（e-reader）、デジタルビデオレコーダ （ＤＶＲｓ）、マシンツーマシン（machine-to-machine：Ｍ２Ｍ）デバイス、および／または、少なくとも部分的に、ワイヤレスまたはセルラネットワークを通じて通信する他の通信／コンピューティングデバイスを含む。
【００４１】
[0048]  複数のキャリアをサポートする広帯域自動利得制御アルゴリズムおよびこれらと同じものを含む受信機のいくつかの態様が１ｘおよびＥＶ−ＤＯキャリアを参照して説明された。当業者は、本開示全体にわたって説明された様々な態様が他の電気通信システム、ネットワークアーキテクチャ、および通信規格に拡大され得ることを容易に認識するであろう。
【００４２】
[0049]  例として、様々な態様は、Ｗ−ＣＤＭＡ（登録商標）、ＴＤ−ＳＣＤＭＡ、およびＴＤ−ＣＤＭＡのようなＵＭＴＳシステムにまで拡張され得る。様々な態様はまた、（ＦＤＤ、ＴＤＤ、または両方のモードにおける）ロングタームエボリューション（ＬＴＥ）、（ＦＤＤ、ＴＤＤ、または両方のモードにおける）ＬＴＥアドバンスド（ＬＴＥ−Ａ）、Ｅｖｏｌｕｔｉｏｎ−Ｄａｔａ  Ｏｐｔｉｍｉｚｅｄ（ＥＶ−ＤＯ）、ウルトラモバイルブロードバンド、ＩＥＥＥ  ８０２．１１ (ＷＩーＦＩ)、ＥＥＥ  ８０２．１６ (ＷＩＭＡＸ)、ＥＥＥ  ８０２．２０、ウルトラワイドバンド（ＵＷＢ）、Ｂｌｕｅｔｏｏｔｈ（登録商標）、および／または他の適切なシステムを用いるシステムにまで拡張され得る。採用される実際の電気通信規格、ネットワークアーキテクチャ、および／または通信規格は、システムに課された全体的な設計制約および特定のアプリケーションに依存するであろう。
【００４３】
[0050]  開示された方法におけるステップの特定の順序または階層は、例示的プロセスを例示する図であると理解されるべきである。設計の優先性に基づいて、これらの処理におけるステップの特定の順序または階層は並べ替えられ得るということが理解される。添付の方法の請求項は、例示的な順序で様々なステップの要素を提示し、本明細書に明確に記載されていない限り、提示された特定の順序または階層に限定されることを意味するものではない。
【００４４】
[0051]  先の説明は、当業者がここに説明される様々な態様を実現することを可能にするために提供される。これらの態様への様々な修正は、当業者にとって容易に明らかとなり、ここに定義された一般的な原理は、他の態様に適用され得る。従って」、請求項は、本明細書に示される態様に限定されるように意図されておらず、請求項の文言と一貫する全範囲であると認められるべきであり、ここで、単数の要素への参照は、そのように明確に述べられていない限りは「１つおよび１つのみ」を意味するように意図されず、むしろ「１つまたは複数」を意味するように意図される。そうではないと明確に記載されていない限り、用語「何らかの」は、１つまたは複数を意味する。項目のリスト「のうちの少なくとも１つ」に関する表現は、単一の要素を含む、それらの項目のうちの任意の組み合わせを指す。例として、「ａ、ｂ、またはｃのうちの少なくとも１つ」は、ａ、ｂ、ｃ、ａおよびｂ、ａおよびｃ、ｂおよびｃ、並びに、ａおよびｂおよびｃをカバーするように意図される。
【００４５】
[0052]  当業者に周知の、または後に周知となる、この開示全体にわたって説明された多様な態様の要素と構造的および機能的に同等な物はすべて、参照によって本明細書に明確に組み込まれ、特許請求の範囲に包含されるように意図される。さらに、本明細書に開示されたことのいずれも、そのような開示が特許請求の範囲において明示的に記載されているかどうかにかかわらず、公共に寄与されるようには意図されていない。要素が、「するための手段」という表現を使用して、あるいは方法請求項の場合、「するためのステップ」という表現を使用して、明確に記載されていない限り、請求項の何れの要素も米国特許法第１１２条第６の規定のもとで解釈されるべきではない。
【図１】
2016541166.tif 000003
【図２】
2016541166.tif 000004
【図３】
2016541166.tif 000005
【図４】
2016541166.tif 000006
【図５】
2016541166.tif 000007
【図６】
2016541166.tif 000008
【図７】
2016541166.tif 000009
【図８】
2016541166.tif 000010
【図９】
2016541166.tif 000011
【手続補正書】
【提出日】平成28年7月13日(2016.7.13)
【手続補正１】
【補正対象書類名】特許請求の範囲
【補正対象項目名】全文
【補正方法】変更
【補正の内容】
【特許請求の範囲】
【請求項１】
ワイヤレス通信のための受信機であって、
広帯域信号を受信し、前記広帯域信号にアナログ利得を適用するように構成される広帯域チェインと、
マルチキャリア単一帯域モード（ＳＢモード）において、前記広帯域信号のうちの複数の狭帯域信号をそれぞれ受信するように構成される複数の狭帯域チェインと、ここにおいて前記狭帯域チェインの各々は前記狭帯域信号のうちの対応する１つにデジタル利得を適用するように構成される、
広帯域エネルギー推定値と複数の狭帯域エネルギー推定値とに従って動的に前記アナログ利得および前記デジタル利得を調整するように構成される自動利得制御器（ＡＧＣ）と
を備え、前記広帯域エネルギー推定値は受信された前記信号のエネルギーに対応し、前記複数の狭帯域エネルギー推定値は前記狭帯域信号のエネルギーに対応し、
前記ＡＧＣはさらに、
前記ＳＢモードにおいて、
前記広帯域エネルギー推定値と前記狭帯域エネルギー推定値の最小値との間の帯域内差を判定し、
前記狭帯域エネルギー推定値の最小値がフロア未満である場合に、前記アナログ利得を増大させ、
任意の前記狭帯域エネルギー推定値が高い方のしきい値より大きい場合に、前記アナログ利得を減少させ、
前記帯域内差が帯域内ジャマーしきい値より大きい場合に、前記ＳＢモードを出て、前記狭帯域信号の対応する１つを受信するために前記狭帯域チェインのうちの１つと、前記広帯域チェインとを利用する
ように構成される、受信機。
【請求項２】
前記広帯域チェインは少なくとも１つの低雑音増幅器またはアナログデジタル変換器を備え、
前記低雑音増幅器は受信された前記信号に前記アナログ利得を適用するように構成され、前記アナログデジタル変換器は受信された前記信号をデジタル領域信号に変換するように構成される、請求項１に記載の受信機。
【請求項３】
前記デジタル領域信号を該当する通信キャリアに対応する前記複数の狭帯域信号に分けるための複数のローテータをさらに備える、請求項２に記載の受信機。
【請求項４】
前記ＡＧＣは、前記広帯域エネルギー推定値が飽和しきい値未満になるように前記アナログ利得を調整するようにさらに構成される、請求項１に記載の受信機。
【請求項５】
前記複数の狭帯域チェインは、前記デジタル利得を該当する前記狭帯域信号に適用するための複数の狭帯域デジタル増幅器を備える、請求項１に記載の受信機。
【請求項６】
前記ＡＧＣは、
前記狭帯域エネルギー推定値の間の第１の差を判定するようにさらに構成され、
前記第１の差がインバランスしきい値より大きい場合に、前記広帯域チェインおよび前記複数の狭帯域チェインが一度に１キャリアずつ前記複数の狭帯域信号を処理するように構成される、請求項１に記載の受信機。
【請求項７】
前記狭帯域信号のうちの前記対応する１つは、前記狭帯域信号のうちの１つだけを備える、請求項１に記載の受信機。
【請求項８】
受信機で動作可能な信号受信の方法であって、
広帯域チェインで広帯域信号を受信し、前記広帯域信号にアナログ利得を適用することと、
マルチキャリア単一帯域モード（ＳＢモード）において、前記広帯域信号のうちの複数の狭帯域信号を複数の狭帯域チェインでそれぞれ受信することと、
前記狭帯域信号の各々に該当するデジタル利得を適用することと、
広帯域エネルギー推定値と複数の狭帯域エネルギー推定値とに従って動的に前記アナログ利得および前記デジタル利得を調整するために自動利得制御（ＡＧＣ）アルゴリズムを行うことと
を備え、前記広帯域エネルギー推定値は受信された前記信号のエネルギーに対応し、前記複数の狭帯域エネルギー推定値は前記狭帯域信号のエネルギーに対応し
前記ＡＧＣアルゴリズムは、
前記ＳＢモードにおいて、
前記広帯域エネルギー推定値と前記狭帯域エネルギー推定値の最小値との間の帯域内差を判定することと、
前記狭帯域エネルギー推定値の最小値がフロア未満である場合に、前記アナログ利得を増大させることと、
任意の前記狭帯域エネルギー推定値が高い方のしきい値より大きい場合に、前記アナログ利得を減少させることと、
前記帯域内差が帯域内ジャマーしきい値より大きい場合に、前記ＳＢモードを出ること、および前記狭帯域信号の対応する１つを受信するために前記狭帯域チェインのうちの１つと、前記広帯域チェインとを利用することと
を備える、方法。
【請求項９】
前記広帯域チェインの低雑音増幅器を利用して前記アナログ利得を受信された前記信号に適用することと、
受信された前記信号を、アナログデジタル変換器を利用してデジタル領域信号に変換することと、
のうちの少なくとも１つをさらに備える、請求項８に記載の方法。
【請求項１０】
前記デジタル領域信号を該当する通信キャリアに対応する前記複数の狭帯域信号に分けることをさらに備える、請求項９に記載の方法。
【請求項１１】
前記ＡＧＣアルゴリズムを行うことは、前記広帯域エネルギー推定値が飽和しきい値未満になるように前記アナログ利得を調整することを備える、請求項８に記載の方法。
【請求項１２】
前記狭帯域チェインの複数の狭帯域デジタル増幅器を利用して前記デジタル利得を該当する前記狭帯域信号に適用することをさらに備える、請求項８に記載の方法。
【請求項１３】
前記ＡＧＣアルゴリズムを行うことは、
前記狭帯域エネルギー推定値の間の第１の差を判定することと、
前記第１の差がインバランスしきい値より大きい場合に、一度に１キャリアずつ前記複数の狭帯域信号を処理することと、
を備える、請求項８に記載の方法。
【請求項１４】
前記狭帯域信号のうちの前記対応する１つは、前記狭帯域信号のうちの１つだけを備える、請求項１に記載の受信機。
【請求項１５】
ワイヤレス通信信号を受信するための受信機であって、
広帯域信号を受信し、前記広帯域信号にアナログ利得を適用するための広帯域手段と、
マルチキャリア単一帯域モード（ＳＢモード）において、前記広帯域信号のうちの複数の狭帯域信号をそれぞれ受信するように構成される複数の狭帯域手段と、ここにおいて前記狭帯域手段の各々は前記狭帯域信号のうちの対応する１つにデジタル利得を適用するように構成される、
広帯域エネルギー推定値と複数の狭帯域エネルギー推定値とに従って動的に前記アナログ利得および前記デジタル利得を調整するための自動利得制御（ＡＧＣ）手段と
を備え、前記広帯域エネルギー推定値は受信された前記信号のエネルギーに対応し、前記複数の狭帯域エネルギー推定値は前記狭帯域信号のエネルギーに対応し、
前記ＡＧＣ手段は、
前記ＳＢモードにおいて、
前記狭帯域エネルギー推定値の間の帯域内差を判定し、
前記狭帯域エネルギー推定値の最小値がフロア未満である場合に、前記アナログ利得を増大させ、
任意の前記狭帯域エネルギー推定値が高い方のしきい値より大きい場合に、前記アナログ利得を減少させ、
前記帯域内差が帯域内ジャマーしきい値より大きい場合に、前記ＳＢモードを出て、前記狭帯域信号の対応する１つを受信するために狭帯域チェインのうちの１つと、広帯域チェインとを利用する
ように構成される、受信機。
【請求項１６】
前記広帯域手段は少なくとも１つの低雑音増幅器またはアナログデジタル変換器を備え、
前記低雑音増幅器は受信された前記信号に前記アナログ利得を適用するように構成され、前記アナログデジタル変換器は受信された前記信号をデジタル領域信号に変換するように構成される、請求項１５に記載の受信機。
【請求項１７】
前記デジタル領域信号を該当する通信キャリアに対応する前記複数の狭帯域信号に分けるための複数のローテート手段をさらに備える、請求項１６に記載の受信機。
【請求項１８】
前記ＡＧＣ手段は、
前記広帯域エネルギー推定値が飽和しきい値未満になるように前記アナログ利得を調整するための手段を備える、請求項１５に記載の受信機。
【請求項１９】
前記複数の狭帯域手段は、前記デジタル利得を該当する前記狭帯域信号に適用するための複数の狭帯域デジタル増幅器を備える、請求項１５に記載の受信機。
【請求項２０】
前記ＡＧＣ手段は、
前記狭帯域エネルギー推定値の間の第１の差を判定するように構成され、
前記第１の差がインバランスしきい値より大きい場合に、前記広帯域手段および前記複数の狭帯域手段が一度に１キャリアずつ前記複数の狭帯域信号を処理するように構成される、請求項１５に記載の受信機。
【請求項２１】
前記狭帯域信号のうちの前記対応する１つは、前記狭帯域信号のうちの１つだけを備える、請求項１５に記載の受信機。
【請求項２２】
ワイヤレス通信のための装置であって、
少なくとも１つのプロセッサと、
前記少なくとも１つのプロセッサに結合されるメモリと、
前記少なくとも１つのプロセッサに結合されるトランシーバと
を備え、前記トランシーバは、
広帯域信号を受信し、前記広帯域信号にアナログ利得を適用するように構成される広帯域チェインと、
マルチキャリア単一帯域モード（ＳＢモード）において、前記広帯域信号のうちの複数の狭帯域信号をそれぞれ受信するように構成される複数の狭帯域チェインと、ここにおいて前記狭帯域チェインの各々は前記狭帯域信号のうちの対応する１つにデジタル利得を適用するように構成される、
広帯域エネルギー推定値と複数の狭帯域エネルギー推定値とに従って動的に前記アナログ利得および前記デジタル利得を調整するように構成される自動利得制御器（ＡＧＣ）と
を備え、前記広帯域エネルギー推定値は受信された前記信号のエネルギーに対応し、前記複数の狭帯域エネルギー推定値は前記狭帯域信号のエネルギーに対応し、
前記ＡＧＣはさらに、
前記ＳＢモードにおいて、
前記広帯域エネルギー推定値と前記狭帯域エネルギー推定値の最小値との間の帯域内差を判定し、
前記狭帯域エネルギー推定値の最小値がフロア未満である場合に、前記アナログ利得を増大させ、
任意の前記狭帯域エネルギー推定値が高い方のしきい値より大きい場合に、前記アナログ利得を減少させ、
前記帯域内差が帯域内ジャマーしきい値より大きい場合に、前記ＳＢモードを出て、前記狭帯域信号の対応する１つを受信するために前記狭帯域チェインのうちの１つと、前記広帯域チェインとを利用する
ように構成される、装置。
【請求項２３】
前記広帯域チェインは少なくとも１つの低雑音増幅器またはアナログデジタル変換器を備え、
前記低雑音増幅器は受信された前記信号に前記アナログ利得を適用するように構成され、前記アナログデジタル変換器は受信された前記信号をデジタル領域信号に変換するように構成される、請求項２２に記載の装置。
【請求項２４】
前記トランシーバは、前記デジタル領域信号を該当する通信キャリアに対応する前記複数の狭帯域信号に分けるための複数のローテータをさらに備える、請求項２３に記載の装置。
【請求項２５】
前記ＡＧＣは、前記広帯域エネルギー推定値が飽和しきい値未満になるように前記アナログ利得を調整するようにさらに構成される、請求項２２に記載の装置。
【請求項２６】
前記複数の狭帯域チェインは、前記デジタル利得を該当する前記狭帯域信号に適用するための複数の狭帯域デジタル増幅器を備える、請求項２２に記載の装置。
【請求項２７】
前記ＡＧＣは、
前記狭帯域エネルギー推定値の間の第１の差を判定するようにさらに構成され、
前記第１の差がインバランスしきい値より大きい場合に、前記広帯域チェインおよび前記複数の狭帯域チェインが一度に１キャリアずつ前記複数の狭帯域信号を処理するように構成される、請求項２２に記載の装置。
【請求項２８】
前記狭帯域信号のうちの前記対応する１つは、前記狭帯域信号のうちの１つだけを備える、請求項２２に記載の装置。
【請求項２９】
コンピュータプログラム製品であって、
広帯域チェインで広帯域信号を受信し、前記広帯域信号にアナログ利得を適用することと、
マルチキャリア単一帯域モード（ＳＢモード）において、前記広帯域信号のうちの複数の狭帯域信号を複数の狭帯域チェインでそれぞれ受信することと、
前記狭帯域チェインの各々を使用して、前記狭帯域信号の対応する１つにデジタル利得を適用することと、
広帯域エネルギー推定値と複数の狭帯域エネルギー推定値とに従って動的に前記アナログ利得および前記デジタル利得を調整するために自動利得制御（ＡＧＣ）アルゴリズムを行うことと、
を受信機にさせるためのコードを備える非一時的なコンピュータ可読記憶媒体を備え、前記広帯域エネルギー推定値は受信された前記信号のエネルギーに対応し、前記複数の狭帯域エネルギー推定値は前記狭帯域信号のエネルギーに対応し、
前記ＡＧＣアルゴリズムは、
前記ＳＢモードにおいて、
前記広帯域エネルギー推定値と前記狭帯域エネルギー推定値の最小値との間の帯域内差を判定することと、
前記狭帯域エネルギー推定値の最小値がフロア未満である場合に、前記アナログ利得を増大させることと、
任意の前記狭帯域エネルギー推定値が高い方のしきい値より大きい場合に、前記アナログ利得を減少させることと、
前記帯域内差が帯域内ジャマーしきい値より大きい場合に、前記ＳＢモードを出て、前記狭帯域信号の対応する１つを受信するために前記狭帯域チェインのうちの１つと、前記広帯域チェインとを利用することと
を備える、非一時的なコンピュータプログラム製品。
【手続補正２】
【補正対象書類名】明細書
【補正対象項目名】００４５
【補正方法】変更
【補正の内容】
【００４５】
[0052]  当業者に周知の、または後に周知となる、この開示全体にわたって説明された多様な態様の要素と構造的および機能的に同等な物はすべて、参照によって本明細書に明確に組み込まれ、特許請求の範囲に包含されるように意図される。さらに、本明細書に開示されたことのいずれも、そのような開示が特許請求の範囲において明示的に記載されているかどうかにかかわらず、公共に寄与されるようには意図されていない。要素が、「するための手段」という表現を使用して、あるいは方法請求項の場合、「するためのステップ」という表現を使用して、明確に記載されていない限り、請求項の何れの要素も米国特許法第１１２条第６の規定のもとで解釈されるべきではない。
以下に、本願出願の当初の特許請求の範囲に記載された発明を付記する。
［Ｃ１］
ワイヤレス通信のための受信機であって、
複数の信号を受信し受信された前記信号を含む広帯域信号にアナログ利得を適用するように構成される広帯域チェインと、
前記広帯域信号のうちの複数の狭帯域信号をそれぞれ受信するように構成される複数の狭帯域チェインと、ここにおいて前記狭帯域チェインの各々は前記狭帯域信号のうちの対応する１つにデジタル利得を適用するように構成される、
広帯域エネルギー推定値と複数の狭帯域エネルギー推定値とに従って動的に前記アナログ利得および前記デジタル利得を調整するように構成される自動利得制御器（ＡＧＣ）と
を備え、前記広帯域エネルギー推定値は受信された前記信号のエネルギーに対応し、前記複数の狭帯域エネルギー推定値は前記狭帯域信号のエネルギーに対応する、受信機。
［Ｃ２］
前記広帯域チェインは少なくとも１つの低雑音増幅器またはアナログデジタル変換器を備え、
前記低雑音増幅器は受信された前記信号に前記アナログ利得を適用するように構成され、前記アナログデジタル変換器は受信された前記信号をデジタル領域信号に変換するように構成される、Ｃ１に記載の受信機。
［Ｃ３］
前記デジタル領域信号を該当する通信キャリアに対応する前記複数の狭帯域信号に分けるための複数のローテータをさらに備える、Ｃ２に記載の受信機。
［Ｃ４］
前記ＡＧＣは、前記広帯域エネルギー推定値が飽和しきい値未満になるように前記アナログ利得を調整するようにさらに構成される、Ｃ１に記載の受信機。
［Ｃ５］
前記ＡＧＣは、前記狭帯域エネルギー推定値の最小値がフロアよりも大きくなるように前記狭帯域エネルギー推定値に従って前記アナログ利得を修正するようにさらに構成される、Ｃ１に記載の受信機。
［Ｃ６］
前記複数の狭帯域チェインは、前記デジタル利得を該当する前記狭帯域信号に適用するための複数の狭帯域デジタル増幅器を備える、Ｃ１に記載の受信機。
［Ｃ７］
前記ＡＧＣは、
前記狭帯域エネルギー推定値の間の第１の差、および前記広帯域エネルギー推定値と前記狭帯域エネルギー推定値の最小値との間の第２の差を判定するようにさらに構成され、
前記第１の差がインバランスしきい値より大きい場合に、前記広帯域チェインおよび前記複数の狭帯域チェインが一度に１キャリアずつ前記複数の狭帯域信号を処理するように構成され、
前記第２の差が帯域内ジャマーしきい値より大きい場合に、前記広帯域チェインおよび前記複数の狭帯域チェインが一度に１キャリアずつ前記複数の狭帯域信号を処理するように構成される、Ｃ１に記載の受信機。
［Ｃ８］
受信機で動作可能な信号受信の方法であって、
広帯域チェインで複数の信号を受信し受信された前記信号を含む広帯域信号にアナログ利得を適用することと、
前記広帯域信号のうちの複数の狭帯域信号を複数の狭帯域チェインでそれぞれ受信することと、
前記狭帯域信号の各々に該当するデジタル利得を適用することと、
広帯域エネルギー推定値と複数の狭帯域エネルギー推定値とに従って動的に前記アナログ利得および前記デジタル利得を調整するために自動利得制御（ＡＧＣ）アルゴリズムを行うことと
を備え、前記広帯域エネルギー推定値は受信された前記信号のエネルギーに対応し、前記複数の狭帯域エネルギー推定値は前記狭帯域信号のエネルギーに対応する、方法。
［Ｃ９］
前記広帯域チェインの低雑音増幅器を利用して前記アナログ利得を受信された前記信号に適用することと、
受信された前記信号を、前記アナログデジタル変換器を利用してデジタル領域信号に変換することと、
のうちの少なくとも１つをさらに備える、Ｃ８に記載の方法。
［Ｃ１０］
前記デジタル領域信号を、該当する通信キャリアに対応する前記複数の狭帯域信号に分けることをさらに備える、Ｃ９に記載の方法。
［Ｃ１１］
前記ＡＧＣアルゴリズムを行うことは、前記広帯域エネルギー推定値が飽和しきい値未満になるように前記アナログ利得を調整することを備える、Ｃ８に記載の方法。
［Ｃ１２］
前記ＡＧＣアルゴリズムを行うことは、  前記狭帯域エネルギー推定値の最小値がフロアよりも大きくなるように前記複数の狭帯域エネルギー推定値に従って前記アナログ利得を修正することを備える、Ｃ８に記載の方法。
［Ｃ１３］
狭帯域チェインの複数の狭帯域デジタル増幅器を利用して前記デジタル利得を該当する前記狭帯域信号に適用することをさらに備える、Ｃ８に記載の方法。
［Ｃ１４］
前記ＡＧＣアルゴリズムを行うことは、
前記狭帯域エネルギー推定値の間の第１の差、および前記広帯域エネルギー推定値と前記狭帯域エネルギー推定値の最小値との間の第２の差を判定することと、
前記第１の差がインバランスしきい値より大きい場合に、一度に１キャリアずつ前記複数の狭帯域信号を処理することと、
前記第２の差が帯域内ジャマーしきい値より大きい場合に、一度に１キャリアずつ前記複数の狭帯域信号を処理することと
を備える、Ｃ８に記載の方法。
［Ｃ１５］
ワイヤレス通信信号のための受信機であって、
複数の信号を受信し受信された前記信号を含む広帯域信号にアナログ利得を適用するための広帯域手段と、
前記広帯域信号のうちの複数の狭帯域信号をそれぞれ受信するように構成される複数の狭帯域手段と、ここにおいて前記狭帯域手段の各々は前記狭帯域信号のうちの対応する１つにデジタル利得を適用するように構成される、
広帯域エネルギー推定値と複数の狭帯域エネルギー推定値とに従って動的に前記アナログ利得および前記デジタル利得を調整するための自動利得制御（ＡＧＣ）手段と
を備え、前記広帯域エネルギー推定値は受信された前記信号のエネルギーに対応し、前記複数の狭帯域エネルギー推定値は前記狭帯域信号のエネルギーに対応する、受信機。
［Ｃ１６］
前記広帯域手段は少なくとも１つの低雑音増幅器またはアナログデジタル変換器を備え、
前記低雑音増幅器は受信された前記信号に前記アナログ利得を適用するように構成され、前記アナログデジタル変換器は受信された前記信号をデジタル領域信号に変換するように構成される、Ｃ１５に記載の受信機。
［Ｃ１７］
前記デジタル領域信号を該当する通信キャリアに対応する前記複数の狭帯域信号に分けるための複数のローテート手段をさらに備える、Ｃ１６に記載の受信機。
［Ｃ１８］
前記ＡＧＣ手段は、
前記広帯域エネルギー推定値が飽和しきい値未満になるように前記アナログ利得を調整するための手段を備える、Ｃ１５に記載の受信機。
［Ｃ１９］
前記ＡＧＣ手段は、
前記狭帯域エネルギー推定値の最小値がフロアよりも大きくなるように前記狭帯域エネルギー推定値に従って前記アナログ利得を修正するための手段を備える、Ｃ１５に記載の受信機。
［Ｃ２０］
前記複数の狭帯域手段は、前記デジタル利得を該当する前記狭帯域信号に適用するための複数の狭帯域デジタル増幅器を備える、Ｃ１５に記載の受信機。
［Ｃ２１］
前記ＡＧＣ手段は、
前記狭帯域エネルギー推定値の間の第１の差、および前記広帯域エネルギー推定値と前記狭帯域エネルギー推定値の最小値との間の第２の差を判定するための手段と、
前記第１の差がインバランスしきい値より大きい場合に、前記広帯域手段および前記複数の狭帯域手段が一度に１キャリアずつ前記複数の狭帯域信号を処理するように構成され、
前記第２の差が帯域内ジャマーしきい値より大きい場合に、前記広帯域手段および前記複数の狭帯域手段が一度に１キャリアずつ前記複数の狭帯域信号を処理するように構成される、
Ｃ１５に記載の受信機。
［Ｃ２２］
ワイヤレス通信のための装置であって、
少なくとも１つのプロセッサと、
前記少なくとも１つのプロセッサに結合されるメモリと、
前記少なくとも１つのプロセッサに結合されるトランシーバと
を備え、前記トランシーバは、
複数の信号を受信し受信された前記信号を含む広帯域信号にアナログ利得を適用するように構成される広帯域チェインと、
前記広帯域信号のうちの複数の狭帯域信号をそれぞれ受信するように構成される複数の狭帯域チェインと、ここにおいて前記狭帯域チェインの各々は前記狭帯域信号のうちの対応する１つにデジタル利得を適用するように構成される、
広帯域エネルギー推定値と複数の狭帯域エネルギー推定値とに従って動的に前記アナログ利得および前記デジタル利得を調整するように構成される自動利得制御器（ＡＧＣ）と
を備え、前記広帯域エネルギー推定値は受信された前記信号のエネルギーに対応し、前記複数の狭帯域エネルギー推定値は前記狭帯域信号のエネルギーに対応する、装置。
［Ｃ２３］
前記広帯域チェインは少なくとも１つの低雑音増幅器またはアナログデジタル変換器を備え、
前記低雑音増幅器は受信された前記信号に前記アナログ利得を適用するように構成され、前記アナログデジタル変換器は受信された前記信号をデジタル領域信号に変換するように構成される、Ｃ２２に記載の装置。
［Ｃ２４］
前記トランシーバは、前記デジタル領域信号を該当する通信キャリアに対応する前記複数の狭帯域信号に分けるための複数のローテータをさらに備える、Ｃ２３に記載の装置。
［Ｃ２５］
前記ＡＧＣは、前記広帯域エネルギー推定値が飽和しきい値未満になるように前記アナログ利得を調整するようにさらに構成される、Ｃ２２に記載の装置。
［Ｃ２６］
前記ＡＧＣは、前記狭帯域エネルギー推定値の最小値がフロアよりも大きくなるように前記狭帯域エネルギー推定値に従って前記アナログ利得を修正するようにさらに構成される、Ｃ２２に記載の装置。
［Ｃ２７］
前記複数の狭帯域チェインは、前記デジタル利得を該当する前記狭帯域信号に適用するための複数の狭帯域デジタル増幅器を備える、Ｃ２２に記載の装置。
［Ｃ２８］
前記ＡＧＣは、
前記狭帯域エネルギー推定値の間の第１の差、および前記広帯域エネルギー推定値と前記狭帯域エネルギー推定値の最小値との間の第２の差を判定するようにさらに構成され、
前記第１の差がインバランスしきい値より大きい場合に、前記広帯域チェインおよび前記複数の狭帯域チェインが一度に１キャリアずつ前記複数の狭帯域信号を処理するように構成され、
前記第２の差が帯域内ジャマーしきい値より大きい場合に、前記広帯域チェインおよび前記複数の狭帯域チェインが一度に１キャリアずつ前記複数の狭帯域信号を処理するように構成される、Ｃ２２に記載の装置。
［Ｃ２９］
コンピュータプログラム製品であって、
広帯域チェインで複数の信号を受信し受信された前記信号を含む広帯域信号にアナログ利得を適用することと、
前記広帯域信号のうちの複数の狭帯域信号を複数の狭帯域チェインでそれぞれ受信することと、
前記狭帯域チェインの各々を使用して、前記狭帯域信号の対応する１つにデジタル利得を適用することと、
広帯域エネルギー推定値と複数の狭帯域エネルギー推定値とに従って動的に前記アナログ利得および前記デジタル利得を調整するために自動利得制御（ＡＧＣ）アルゴリズムを行うことと、ここにおいて前記広帯域エネルギー推定値は受信された前記信号のエネルギーに対応し、前記複数の狭帯域エネルギー推定値は前記狭帯域信号のエネルギーに対応する、
を受信機にさせるためのコードを備えるコンピュータ可読記憶媒体を備える、コンピュータプログラム製品。
【国際調査報告】
2016541166.tif 000012
2016541166.tif 000013